(57)【要約】【課題】循環ポンプの空転を防止して、円滑に湯張り運転あるいは追焚き運転可能な風呂給湯装置を提供する。【解決手段】湯張り運転や追焚き運転の自動運転を実行する前に、切替弁４０を循環ポンプ３７側のみに給水される排出位置に設定して給湯管路２から湯張り管３を介して追焚き循環管路４に給水することにより、循環ポンプ３７内に給水された状態から各運転を開始させる。【選択図】図１
2014194302.tif 000002
【特許請求の範囲】
【請求項１】
給湯用熱交換器及び風呂用熱交換器を備える熱源機と、
前記給湯用熱交換器で加熱生成された湯水を給湯端末に供給する給湯管路と、
前記風呂用熱交換器で浴槽の風呂水を循環加熱する追焚き循環管路と、
前記給湯管路と前記追焚き循環管路とを接続し、前記給湯用熱交換器で加熱生成された湯水を前記追焚き循環管路に供給する湯張り管と、
前記追焚き循環管路に設けられた循環ポンプと、
前記熱源機を作動させて湯張り運転や追焚き運転を行う制御装置と、を有し
前記制御装置は、湯張り運転あるいは追焚き運転の運転指示がなされると、浴槽への湯張りあるいは風呂水の循環前に、前記給湯管路から前記湯張り管を介して前記追焚き循環管路に給水を行う風呂給湯装置。
【請求項２】
請求項１に記載の風呂給湯装置において、
前記熱源機は、前記浴槽よりも上方に設置されている風呂給湯装置。
【請求項３】
請求項１または２に記載の風呂給湯装置において、
前記追焚き循環管路は、前記循環ポンプの駆動により、浴槽から風呂水を風呂用熱交換器側に戻す戻り管と、風呂用熱交換器から浴槽側に風呂水を送る往き管とを有し、
前記戻り管は、前記湯張り管と切替弁を介して接続されており、
前記循環ポンプは、前記戻り管における前記湯張り管との接続部よりも下流側に設けられ、
前記制御装置は、前記給湯管路からの給水が前記接続部から前記戻り管における前記循環ポンプ側のみに送出される排出位置に前記切替弁を切り替えて前記追焚き循環管路に給水を行なった後、前記接続部から前記戻り管における前記循環ポンプ側及び前記浴槽側に湯水を供給する給湯位置あるいは前記追焚き循環管路内で風呂水を循環させる循環位置に前記切替弁を切り替えて、前記湯張り運転あるいは追焚き運転を行う風呂給湯装置。
【請求項４】
請求項１〜３のいずれか1項に記載の風呂給湯装置は、さらに、
前記熱源機を作動させることによって発生するドレンを排出するドレン排出管路を有し、
前記ドレン排出管路は、前記湯張り管における前記湯張り管と前記追焚き循環管路との接続部よりも上流側に接続されている風呂給湯装置。
【請求項５】
請求項４に記載の風呂給湯装置は、さらに、
前記往き管から分岐するドレン放出管を有するとともに、前記往き管と前記ドレン放出管との接続部にドレン排水切替弁を有しており、
前記制御装置は、前記切替弁を排出位置に設定した場合、前記給湯管路からの給水を外部に排出可能な排出位置に前記ドレン排水切替弁を切り替える風呂給湯装置。
【発明の詳細な説明】
【技術分野】
【０００１】
本発明は、湯張り運転や追焚き運転を自動で行う風呂給湯装置に関する。
【背景技術】
【０００２】
従来、熱交換器を備える熱源機と浴槽とを接続し、浴槽内に湯張り等のために直接給湯できるようにするとともに、浴槽内に湯張りされた風呂水を追焚きすることにより浴槽内の湯温を昇温できるようにした風呂給湯装置が知られている。
【０００３】
上記風呂給湯装置に用いられる熱源機には、給湯用熱交換器と風呂用熱交換器とが配設されており、風呂用熱交換器と浴槽とは、風呂水を循環させる追焚き循環管路で接続されているとともに、浴槽に湯張りを行うために、追焚き循環管路は、給湯用熱交換器で加熱生成された湯水を追焚き循環管路に供給するための給湯管路と湯張り管を介して接続されている。
【０００４】
この種の風呂給湯装置で湯張り運転を行う場合には、熱源機を作動させて給湯用熱交換器で加熱生成された湯水を、給湯管路から分岐させた湯張り管を介して追焚き循環管路に供給し、設定された湯量の湯張りを行っている。そして、所定量の湯水が浴槽内に注湯されると、必要に応じて追焚き循環管路に設けられた循環ポンプにより浴槽内に貯留された風呂水を吸込み、追焚き循環管路を循環させながら風呂用熱交換器で風呂水を設定温度まで昇温させる追焚き運転を実行している。
【先行技術文献】
【特許文献】
【０００５】
【特許文献１】特開２０００−１３０８４４号公報
【発明の概要】
【発明が解決しようとする課題】
【０００６】
ところで、循環ポンプを駆動するとき、循環ポンプ内に水が滞留していれば浴槽から風呂水を速やかに吸込むことができ、追焚き循環管路に風呂水を循環させることができる。
【０００７】
しかしながら、近年、住宅設備の多様化から、熱源機が２階以上に設置され、浴槽が地上階に設置されることも多くなってきている。そのため、浴槽と上層階に設置される熱源機との間にかなりの高低差（例えば、５ｍ以上）が生じている。その結果、浴槽を使用した後、風呂水を排水したり、湯張り運転を行ってから一定時間が経過すると、追焚き循環管路内の水が浴槽に落ち込み、循環ポンプ内に空気が入り込みやすい。このような状態で循環ポンプを駆動すると、空気の噛み込みにより浴槽内の風呂水が戻り管に吸込まれ難くなり、しかも、上層階まで風呂水を吸い上げなければならないため、追焚き循環管路に風呂水を循環させるのに一定時間が必要になるという問題がある。また、追焚き循環管路に設けられた水流スイッチで通水が確認されてから風呂用熱交換器で循環加熱が開始される風呂給湯装置では、空気の噛み込みにより水流スイッチで通水が検知されるまで一定時間を必要とするから、例えば、浴槽内に風呂水が存在しないと誤判定されて、追焚き運転が停止されるという問題がある。さらに、循環ポンプ内に水が滞留していないと、循環ポンプが空転するため、大きな騒音が生じたり、循環ポンプの耐久性が低下するという問題もある。
【０００８】
本発明は上記課題を解決するためになされたものであり、本発明の目的は、給湯管路と追焚き循環管路とを有し、追焚き循環管路に設けられた循環ポンプにより風呂水を循環させる風呂給湯装置において、湯張り運転や追焚き運転を円滑に行うことができる風呂給湯装置を低コストで提供することにある。
【課題を解決するための手段】
【０００９】
本発明は、
給湯用熱交換器及び風呂用熱交換器を備える熱源機と、
前記給湯用熱交換器で加熱生成された湯水を給湯端末に供給する給湯管路と、
前記風呂用熱交換器で浴槽の風呂水を循環加熱する追焚き循環管路と、
前記給湯管路と前記追焚き循環管路とを接続し、前記給湯用熱交換器で加熱生成された湯水を前記追焚き循環管路に供給する湯張り管と、
前記追焚き循環管路に設けられた循環ポンプと、
前記熱源機を作動させて湯張り運転や追焚き運転を行う制御装置と、を有し
前記制御装置は、湯張り運転あるいは追焚き運転の運転指示がなされると、浴槽への湯張りあるいは風呂水の循環前に、前記給湯管路から前記湯張り管を介して前記追焚き循環管路に給水を行う風呂給湯装置である。
【００１０】
上記風呂給湯装置によれば、湯張り運転あるいは追焚き運転前に、循環ポンプが設けられた追焚き循環管路に給水が行われるから、循環ポンプ内に入り込んだ空気を排気することができ、循環ポンプ内に水が滞留した状態で循環ポンプを駆動することができる。
【００１１】
上記風呂給湯装置において、
前記熱源機は、前記浴槽よりも上方に設置されていてもよい。
【００１２】
熱源機が浴槽よりも上方に設置されている場合、追焚き循環管路内の水が浴槽に落ち込みやすいから、より本発明を効果的に適用することができる。
【００１３】
上記風呂給湯装置において、好ましくは、
前記追焚き循環管路は、前記循環ポンプの駆動により、浴槽から風呂水を風呂用熱交換器側に戻す戻り管と、風呂用熱交換器から浴槽側に風呂水を送る往き管とを有し、
前記戻り管は、前記湯張り管と切替弁を介して接続されており、
前記循環ポンプは、前記戻り管における前記湯張り管との接続部よりも下流側に設けられ、
前記制御装置は、前記給湯管路からの給水が前記接続部から前記戻り管における前記循環ポンプ側のみに送出される排出位置に前記切替弁を切り替えて前記追焚き循環管路に給水を行なった後、前記接続部から前記戻り管における前記循環ポンプ側及び前記浴槽側に湯水を供給する給湯位置あるいは前記追焚き循環管路内で風呂水を循環させる循環位置に前記切替弁を切り替えて、前記湯張り運転あるいは追焚き運転を行う。
【００１４】
追焚き循環管路を有する風呂給湯装置では、湯張り運転を行う場合、往き管側、及び戻り管側のいずれからでも浴槽への湯張りが可能であるが、往き管だけでなく、戻り管からも浴槽への給水が可能な状態で給水圧のみにより給湯管路から追焚き循環管路に給水すると、戻り管を上昇して、さらに往き管まで給水することが難しく、戻り管のみから浴槽に給水されやすい。その結果、戻り管における湯張り管との接続部より下流側に循環ポンプを設けている場合、循環ポンプ内に確実に給水され難い。しかしながら、上記風呂給湯装置によれば、湯張り管と戻り管とを切替弁を介して接続し、給湯管路からの給水が戻り管における湯張り管との接続部よりも下流側に位置する循環ポンプ側のみに送出される排出位置に切替弁を切り替えて給水するから、接続部よりも上流側の戻り管に給水されるのを防止でき、短時間で循環ポンプ内に水を滞留させることができる。そして、戻り管に設けられた循環ポンプ内に水を滞留させた状態で、給湯位置あるいは循環位置に切替弁を切り替え、湯張り運転あるいは追焚き運転が行われるから、速やかに運転を開始することができる。
【００１５】
上記風呂給湯装置は、好ましくは、さらに
前記熱源機を作動させることによって発生するドレンを排出するドレン排出管路を有し、
前記ドレン排出管路は、前記湯張り管における前記湯張り管と前記追焚き循環管路との接続部よりも上流側に接続される。
【００１６】
上記風呂給湯装置によれば、発生するドレンを追焚き循環管路を介して外部に排出する風呂給湯装置においても、特別な給水構造を採用することなく、湯張り運転等の前に循環ポンプに給水することができる。
【００１７】
上記風呂給湯装置は、好ましくは、さらに
前記往き管から分岐するドレン放出管を有するとともに、前記往き管と前記ドレン放出管との接続部にドレン排水切替弁を有しており、
前記制御装置は、前記切替弁を排出位置に設定した場合、前記給湯管路からの給水を外部に排出可能な排出位置に前記ドレン排水切替弁を切り替える。
【００１８】
上記風呂給湯装置によれば、湯張り運転等の前に行われる追焚き循環管路への給水は浴槽に供給されることなく外部に排出されるから、湯量や湯温の変動を防止することができる。
【発明の効果】
【００１９】
以上説明したように、本発明によれば、湯張り運転あるいは追焚き運転前に、循環ポンプの空転を防止することができる。これにより、円滑に追焚き循環管路に風呂水を循環させることができる。従って、特別な給水構造を採用することなく、循環不良による運転中止を防止できるとともに、循環ポンプの騒音や耐久性の低下を防止できる。
【図面の簡単な説明】
【００２０】
【図１】図１は、本発明の実施の形態に係る風呂給湯装置の一例を示す概略構成図である。
【図２】図２は、本実施の形態に係る風呂給湯装置で自動運転を行う場合の制御フローチャートである。
【発明を実施するための形態】
【００２１】
以下、図面を参照しながら、本実施の形態の風呂給湯装置について具体的に説明する。
【００２２】
図１に示すように、風呂給湯装置１は、上水道から供給される水を所定温度に加熱して湯水を生成し、カランなどの給湯端末Ｐ１や浴槽Ｐ２へ供給する給湯機能部と、浴槽Ｐ２の風呂水を所定温度に加熱しつつ循環させる追焚き機能部とを備えている。
【００２３】
本実施の形態の風呂給湯装置１は、給湯用熱交換器２１Ａ及び風呂用熱交換器２１Ｂが配設された熱源機１１と、給水源から供給される水を給湯用熱交換器２１Ａに導き、給湯用熱交換器２１Ａから給湯端末Ｐ１や浴槽Ｐ２に供給する給湯管路２と、浴槽Ｐ２と風呂用熱交換器２１Ｂとの間で風呂水を循環させる追焚き循環管路４と、風呂給湯装置１全体の動作を制御する制御装置Ｃとを備えている。また、制御装置Ｃには、風呂給湯装置１の動作を指示するための操作端末１００が電気配線または無線により接続されている。
【００２４】
給湯管路２は、給水源から給湯用熱交換器２１Ａへ水を供給する給水管２ａと、給湯用熱交換器２１Ａから給湯端末Ｐ１に給湯用熱交換器２１Ａで加熱生成された湯水を供給する出湯管２ｂと、給水管２ａと出湯管２ｂの間に、給湯用熱交換器２１Ａで加熱生成された高温の湯水を所定温度に調整するための給水管２ａから水を混合するバイパス管とを備えている。
【００２５】
給水管２ａには、給湯用熱交換器２１Ａに供給される水の量を検知するための水量センサ３１と、給湯用熱交換器２１Ａへの水量を調整可能な水量調整弁３２とが上流側から順に設けられている。
【００２６】
追焚き循環管路４は、浴槽Ｐ２から風呂用熱交換器２１Ｂに風呂水を戻す戻り管４ａと、風呂用熱交換器２１Ｂで加熱された風呂水を浴槽Ｐ２に送る往き管４ｂとを備えている。戻り管４ａ及び往き管４ｂの浴槽Ｐ２側の端部はそれぞれ、浴槽Ｐ２の内部の底部近傍に設けられた循環金具（図示せず）に接続されている。なお、本明細書の追焚き循環管路４では、循環ポンプ３７を駆動させて風呂水を循環させるときの循環経路の戻り管側を上流側、往き管側を下流側という。
【００２７】
給湯管路２の出湯管２ｂには、浴槽Ｐ２への湯張りを行うための湯張り管３が分岐接続されており、湯張り管３の下流端は、追焚き循環管路４の戻り管４ａに接続されている。この湯張り管３には、給湯用熱交換器２１Ａからの湯水の供給を遮断可能な湯張り電磁弁３３と、追焚き循環管路４からの風呂水の逆流を防止するための風呂逆止弁３４と、湯張り管３を流れる湯水の流量を検知する湯量センサ３５とが上流側から順に設けられている。
【００２８】
熱源機１１の筺体１０内には、給水管２ａから供給される水を燃焼排ガスとの熱交換により加熱する給湯用熱交換器２１Ａと、戻り管４ａから戻る風呂水を燃焼排ガスとの熱交換により加熱する風呂用熱交換器２１Ｂと、ガス配管１５からガス管路を通じて供給される燃料ガスを燃焼用空気と混合して燃焼させ、燃焼排ガスを生成するガスバーナ２２Ａ，２２Ｂとが組み込まれている。また、筺体１０の下部には、筺体１０内へ燃焼用空気を送り込む燃焼ファン２３が設けられている。
【００２９】
給湯用熱交換器２１Ａは、燃焼排ガスの顕熱を回収する給湯用主熱交換器２１１と、この給湯用主熱交換器２１１よりも燃焼排ガスの流れの下流側に設けられて、燃焼排ガスの潜熱を回収する給湯用副熱交換器２１２とを備えている。そして、給湯用副熱交換器２１２の上流端には、給水管２ａが接続され、給湯用主熱交換器２１１の下流端には、出湯管２ｂが接続されている。
【００３０】
風呂用熱交換器２１Ｂは、給湯用熱交換器２１Ａと同様に、燃焼排ガスの顕熱を回収する風呂用主熱交換器２１３と、この風呂用主熱交換器２１３よりも燃焼排ガスの流れの下流側に設けられて、燃焼排ガスの潜熱を回収する風呂用副熱交換器２１４とを備えている。そして、風呂用副熱交換器２１４の上流端には、戻り管４ａが接続され、風呂用主熱交換器２１３の下流端には、往き管４ｂが接続されている。なお、風呂用熱交換器２１Ｂは、風呂用主熱交換器２１３のみから構成してもよい。
【００３１】
ガス配管１５には、ガスバーナ２２Ａ，２２Ｂへの燃料ガスの供給を遮断可能なガス元弁２５と、ガスバーナ２２Ａ，２２Ｂへの燃料ガスの供給量を調整可能なガス比例弁２６とが上流側から順に設けられている。また、ガス比例弁２６の下流側には、各ガスバーナ２２Ａ，２２Ｂへの燃料ガスの供給を遮断可能なガス遮断弁２７Ａ，２７Ｂが設けられている。
【００３２】
また、筺体１０内には、潜熱を回収する際に給湯用及び風呂用副熱交換器２１２，２１４から発生するドレンを受けるドレン受け２４が設けられている。ドレン受け２４の底部には、発生したドレンを追焚き循環管路４を介して外部に排出するためのドレン排出管路５が接続されている。
【００３３】
ドレン排出管路５には、ドレン受け２４で受け止めたドレンを回収するドレンタンク５０が設けられており、ドレンタンク５０に回収されたドレンは、装填されたドレン中和剤によって中和され、ドレンタンク５０内に設けられた水位電極５３で所定水位以上貯留されたことが検知されると、ドレン排出管路５から湯張り管３に排出され、さらに循環ポンプ側の戻り管４ａ、及び往き管４ｂを介して外部に排出される。
【００３４】
湯張り管３と、ドレン排出管路５との接続部には、給湯用熱交換器２１Ａで加熱生成された湯水を追焚き循環管路４に導く給湯位置と、ドレンタンク５０内のドレン中和水を湯張り管３に排出し、追焚き循環管路４に導く排出位置とに切替可能なドレン排出電磁弁３６が設けられている。
【００３５】
追焚き循環管路４の戻り管４ａには、浴槽Ｐ２から戻り管４ａに吸込まれる浴槽Ｐ２内の風呂水の温度を検知する戻り側サーミスタ４１と、循環ポンプ３７と、浴槽Ｐ２内の風呂水の水位を検知する水位センサ３８と、戻り管４ａの水流に応じてオンオフする水流スイッチ３９とが上流側から順に設けられており、湯張り管３と戻り管４ａの接続部は、戻り管４ａにおける循環ポンプ３７の上流側に接続されている。
【００３６】
湯張り管３と戻り管４ａとの接続部には、追焚き運転を行う場合に、浴槽Ｐ２の風呂水を風呂用熱交換器２１Ｂに導く循環位置と、湯張り運転を行う場合に、湯張り管３を介して湯水を接続部から循環ポンプ側及び浴槽側の両方に供給する給湯位置と、湯張り運転や追焚き運転を行う前に、循環ポンプ３７に湯張り管３を介して給水する場合や、ドレンタンク５０からドレン中和水を排出する場合に、給水された水やドレン中和水を戻り管４ａにおける湯張り管３との接続部よりも下流の循環ポンプ側のみに送出する排出位置とに切替え可能な切替弁４０が設けられている。
【００３７】
追焚き循環管路４の往き管４ｂには、浴槽Ｐ２に送る循環加熱した風呂水の温度を検知するための往き側サーミスタ４２が設けられている。また、往き管４ｂには、ドレン中和水を外部に排出するためのドレン放出管１７が分岐接続されている。さらに、往き管４ａとドレン放出管１７の接続部には、風呂用熱交換器２１Ｂに送り込まれた風呂水を浴槽Ｐ２へ戻す循環位置と、ドレン中和水をドレン放出管１７から排出する排出位置とに切替可能なドレン排水切替弁４６が設けられている。なお、このドレン排水切替弁４６は、湯張り運転等の前に循環ポンプ３７に湯張り管３から追焚き循環管路４に給水する場合にも、給水された水が浴槽Ｐ２内に落とし込まれないように排出位置に設定される。
【００３８】
既述した燃焼ファン２３、ガス元弁２５、ガス比例弁２６、ガス遮断弁２７Ａ，２７Ｂ、水量センサ３１、水量調整弁３２、湯張り電磁弁３３、湯量センサ３５、ドレン排出電磁弁３６、循環ポンプ３７、水位センサ３８、水流スイッチ３９、切替弁４０、往き側及び戻り側サーミスタ４２，４１、ドレン排水切替弁４６、水位電極５３はそれぞれ、電気配線を通じて制御装置Ｃに接続されている。
【００３９】
図示しないが、制御装置Ｃには、湯張り運転や追焚き運転を行う場合のガスバーナ２２Ａ，２２Ｂの燃焼や燃焼ファン２３の回転数を制御する燃焼運転制御部、湯張り運転や追焚き運転を行う前に、給湯管路２から湯張り管３を介して追焚き循環管路４に給水するための給水運転部、循環ポンプ３７の駆動を制御する循環制御部、水位電極５３で検知されるドレンタンク５０内のドレンが所定量以上となった場合に、ドレンの排出を行うドレン排出実行部、ドレン排出を行った後、配管洗浄を行う配管洗浄運転部、各運転を行う場合のプログラムが記憶されたメモリやタイマなどの回路構成を備えている。
【００４０】
次に、本実施の形態の風呂給湯装置１において、湯張り運転や追焚き運転を行う場合の制御フローについて説明する。
操作端末１００で電源スイッチがオン操作され、湯張り運転あるいは追焚き運転の自動運転スイッチがオンされると（ステップＳＴ１〜ＳＴ２）、循環ポンプ３７内に給水するための給水運転を実行する（ステップＳＴ３）。
【００４１】
この給水運転では、まず、湯張り電磁弁３３を開弁し、ドレン排出電磁弁３６を給湯位置に、切替弁４０及びドレン排水切替弁４６を排出位置に設定する。これにより、給湯管路２と追焚き循環管路４とが連通した状態となる。また、戻り管４ａの切替弁４０より上流側には給水されない状態となる。
【００４２】
次いで、水量センサ３１で最低作動水量以上が検知されると、燃焼ファン２３を作動させるとともに、給湯用熱交換器２１Ａを加熱するガスバーナ２２Ａが点火されて、給湯用熱交換器２１Ａで湯水が加熱生成される。すると、所定量の湯水が湯張り管３を介して追焚き循環管路４の戻り管４ａに供給され、さらに循環ポンプ側のみに向かって送出される。従って、熱源機１１に対して浴槽Ｐ２が下方に位置していても、この給水運転により、循環ポンプ３７を駆動することなく、給水圧により循環ポンプ３７内に給水することができ、循環ポンプ３７内に空気が入り込んでいても、これを排気できる。しかも、切替弁４０は、戻り管４ａにおける切替弁４０よりも上流側には給水されない排出位置に設定されているから、戻り管４ａに設けられている循環ポンプ３７内に確実に給水することができる。
【００４３】
そして、この給水運転の間は、循環ポンプ３７を駆動させていないから、循環ポンプ３７の駆動により、騒音が生ずることもない。しかも、給水運転で追焚き循環管路４に供給された給水は、風呂用熱交換器２１Ｂを経由してさらに往き管４ｂに送出されるが、浴槽Ｐ２よりも上流側のドレン排水切替弁４６は排出位置に設定されているから、給水運転後に、湯張り運転を行っても、操作端末１００等で設定された湯量を超える風呂水が貯留されるのを防止できる。さらに、追焚き運転においては、風呂水の温度低下も防止できる。
【００４４】
湯量センサ３５で検知される湯量が所定量になると、湯張り運転あるいは追焚き運転の自動運転を開始する（ステップＳＴ４）。例えば、湯張り運転の場合、操作端末１００で設定された湯温となるように燃料ガスの供給量を変更するとともに、切替弁４０を給湯位置に、ドレン排水切替弁４６を循環位置に設定する。これにより、湯張り管３から供給された湯水は、往き管４ｂだけでなく、戻り管４ａからも浴槽Ｐ２に落とし込まれる。そして、湯量センサ３５で所定の湯量がカウントされると、湯張り電磁弁３３を閉弁し、往き側サーミスタ４２で検知される風呂水の温度が操作端末１００で設定された湯温となるように、循環ポンプ３７を駆動して風呂水を循環させながら、風呂用熱交換器２１Ｂで風呂水を循環加熱する。また、追焚き運転の場合、同様に、切替弁４０及びドレン排水切替弁４６を循環位置に設定した状態で、循環ポンプ３７を駆動して風呂水を循環させながら、風呂用熱交換器２１Ｂにより操作端末１００で設定された湯温となるまで風呂水を循環加熱する。従って、水流スイッチ３９で通水が確認されてから風呂用熱交換器２１Ｂでの循環加熱が開始される風呂給湯装置１であっても、空気の噛み込みによる水流スイッチ３９での通水の検知遅れを防止できるから、円滑に追焚き運転を実行することができる。自動運転が終了する前に、使用者が操作端末１００で各運転の一時停止を行った場合、自動運転を一時停止し（ステップＳＴ５）、上記ステップが繰り返される。
【００４５】
なお、図示しないが、本実施の形態の風呂給湯装置１は、ドレン排出管路５が湯張り管３に接続されているため、ドレンタンク５０内の水位電極５３で所定量以上のドレンが検知された場合、自動運転を中断して、ドレン排出運転が行われる。このドレン排出運転では、ドレン排出電磁弁３６、切替弁４０、及びドレン排水切替弁４６が排出位置に設定される。そして、ドレンタンク５０内のドレンが減少すると、ドレン排出電磁弁３６が給湯位置に設定され、上記の給湯管路２から所定量の水を追焚き循環管路４に給水する配管洗浄運転が行われる。従って、この配管洗浄運転によって、さらに循環ポンプ３７内に給水を行ってもよい。
【００４６】
なお、上記実施の形態では、風呂用熱交換器２１Ｂと浴槽Ｐ２とが追焚き循環管路４により直接接続されている風呂給湯装置について説明したが、さらに床暖房装置と床暖房用循環管路とを備え、風呂用副熱交換器と床暖房用循環管路とを接続して、床暖房用循環管路と追焚き循環管路との間で液々熱交換により風呂水の循環加熱を行う風呂給湯装置に本発明を適用してもよい。
【符号の説明】
【００４７】
１      風呂給湯装置
２      給湯管路
２ａ    給水管
２ｂ    出湯管
３      湯張り管
４      追焚き循環管路
４ａ    戻り管
４ｂ    往き管
５      ドレン排出管路
１１    熱源機
２１Ａ  給湯用熱交換器
２１Ｂ  風呂用熱交換器
３７    循環ポンプ
４０    切替弁
Ｐ２    浴槽
【図１】
2014194302.tif 000003
【図２】
2014194302.tif 000004